(57)【要約】【課題】  カッター刃が、略平行に隣り合う端縁どうしの間に入り込んでも、その端縁に早期に作用して、埋設物の損傷を効果的に防止できるようにする。【解決手段】  舗装面の下に埋設してある長尺埋設物が、その舗装面を切断しているカッター刃３によって損傷を受けることを防止するために、複数枚をそれらの前後方向に一連に臨む端縁８どうしが互いに略平行に隣り合う帯状に並べて、埋設物の上方を覆うように打設したコンクリートに埋め込み固定可能に構成してあるセラミックス製の埋設物保護板であって、前記端縁の平面視での形状を、複数枚を帯状に並べて埋め込み固定してある状態で、カッター刃が、帯幅方向Ｄに沿う移動により、左右いづれの側縁９側から隣り合う端縁どうしの間に入り込んでも、端縁の帯幅方向Ｄでの中心位置Ｘよりもカッター刃移動方向上手側で接触可能な直線部１１を備えた形状に形成してある。【選択図】        図３
2007037240.tif 000002
【特許請求の範囲】
【請求項１】
舗装面の下に埋設してある長尺埋設物が、その舗装面を切断しているカッター刃によって損傷を受けることを防止するために、
複数枚をそれらの前後方向に一連に臨む端縁どうしが互いに略平行に隣り合う帯状に並べて、前記埋設物の上方を覆うように打設したコンクリートに埋め込み固定可能に構成してあるセラミックス製の埋設物保護板であって、
前記端縁の平面視での形状を、
複数枚を帯状に並べて埋め込み固定してある状態で、前記カッター刃が、帯幅方向に沿う移動により、その帯幅方向の左右いづれの側縁側から隣り合う端縁どうしの間に入り込んでも、そのカッター刃が、前記端縁の帯幅方向での中心位置よりもカッター刃移動方向上手側で接触可能な直線部を備えた形状に形成してある埋設物保護板。
【請求項２】
前記端縁の平面視における形状を、直線どうしが鈍角で交差する屈曲形状に形成してある請求項１記載の埋設物保護板。
【請求項３】
前記直線どうしが鈍角で交差する交差箇所を、帯幅方向の左右両側に形成してある請求項２記載の埋設物保護板。
【発明の詳細な説明】
【技術分野】
【０００１】
本発明は、舗装面の下に埋設してある長尺埋設物が、その舗装面を切断しているカッター刃によって損傷を受けることを防止するために、複数枚をそれらの前後方向に一連に臨む端縁どうしが互いに略平行に隣り合う帯状に並べて、前記埋設物の上方を覆うように打設したコンクリートに埋め込み固定可能に構成してあるセラミックス製の埋設物保護板（以下、単に保護板という）に関する。
【背景技術】
【０００２】
上記保護板は、その複数枚を帯状に並べて、長尺埋設物の上方を覆うように打設したコンクリートに埋め込み固定しておくことで、舗装面をカッター刃で切断する作業を伴う道路工事などにおいて、カッター刃が舗装面の下に埋設してある埋設物に作用する前に、そのカッター刃が保護板に作用することに伴う、切断抵抗の増加や切断音の変化などを切断作業者に感じさせることにより、その切断作業者に埋設物の存在を認識させて、埋設物がカッター刃によって損傷を受けることを防止できるようにしてある。
また、複数枚を帯状に並べるにあたって、複数枚をそれらの前後方向に一連に臨む端縁どうしが互いに略平行に隣り合う帯状に並べるので、端縁どうしを上下方向から入り込ませる蟻溝状の係合部を形成してあるような保護板に比べて、作業性良く並べることができる利点がある。
従来の上記保護板は、複数枚を帯状に並べて埋め込み固定してある状態で、カッター刃が、帯幅方向に沿う移動により、略平行に隣り合う端縁どうしの間に入り込んでも、切断作業者に切断抵抗の増加や切断音の変化などを確実に感じさせることができるように、図８に示すように、端縁８の平面視での形状を、帯幅方向Ｄでの中心位置Ｘに沿って帯長手方向に平行な縦直線部１２ａと、その縦直線部１２ａに直交する帯幅方向Ｄに平行な横直線部１２ｂとを備えた鈎形に形成して、カッター刃３が、帯幅方向Ｄの左右いづれの側縁側から隣り合う端縁８どうしの間に入り込んでも、保護板Ａの縦直線部１２ａに確実に作用するように構成している(例えば、特許文献１参照)。
【０００３】
【特許文献１】特開平６−２０９５１６号公報（段落番号［００１０］，図５）
【発明の開示】
【発明が解決しようとする課題】
【０００４】
上記従来の保護板Ａは、カッター刃３が、帯幅方向Ｄに沿う移動により、略平行に隣り合う端縁の横直線部１２ｂどうしの間に入り込んだときは、帯幅方向Ｄでの中心位置Ｘに沿って形成した縦直線部１２ａに作用するまで、切断作業者に切断抵抗の増加や切断音の変化などを感じさせることができないので、カッター刃３が、縦直線部１２ａに作用する前に埋設物に作用して、埋設物が損傷を受けるおそれがある。
また、略平行に隣り合う端縁８の平面視での形状を、縦直線部１２ａと横直線部１２ｂとが直交する鈎形に形成してあるので、縦直線部１２ａと横直線部１２ｂとが対向するように交差している内隅部Ｂにおける応力集中係数が大きく、カッター刃３が縦直線部１２ａに作用したときの衝撃などでクラックＣが発生し易い欠点がある。
本発明は上記実情に鑑みてなされたものであって、カッター刃が、帯幅方向に沿う移動により、略平行に隣り合う端縁どうしの間に入り込んでも、その端縁に早期に作用して、埋設物の損傷を効果的に防止できるようにすることを目的とする。
また、カッター刃が、略平行に隣り合う端縁どうしの間に入り込んでその端縁に作用しても、内隅部にクラックが発生しにくいようにすることを目的とする。
【課題を解決するための手段】
【０００５】
本発明の第１特徴構成は、舗装面の下に埋設してある長尺埋設物が、その舗装面を切断しているカッター刃によって損傷を受けることを防止するために、複数枚をそれらの前後方向に一連に臨む端縁どうしが互いに略平行に隣り合う帯状に並べて、前記埋設物の上方を覆うように打設したコンクリートに埋め込み固定可能に構成してあるセラミックス製の埋設物保護板であって、前記端縁の平面視での形状を、複数枚を帯状に並べて埋め込み固定してある状態で、前記カッター刃が、帯幅方向に沿う移動により、その帯幅方向の左右いづれの側縁側から隣り合う端縁どうしの間に入り込んでも、そのカッター刃が、前記端縁の帯幅方向での中心位置よりも、カッター刃移動方向上手側で接触可能な直線部を備えた形状に形成してある点にある。
【０００６】
〔作用及び効果〕
略平行に隣り合わせる端縁の平面視での形状を、複数枚を帯状に並べて埋め込み固定してある状態で、カッター刃が、帯幅方向に沿う移動により、その帯幅方向の左右いづれの側縁側から隣り合う端縁どうしの間に入り込んでも、そのカッター刃が、その端縁の帯幅方向での中心位置よりも、カッター刃移動方向上手側で接触可能な直線部を備えた形状に形成してあるので、カッター刃を、隣り合う端縁の帯幅方向での中心位置よりもカッター刃移動方向上手側で直線部に早期に作用させて、埋設物の損傷を効果的に防止できる。
また、カッター刃を早期に接触させるために、略平行に隣り合わせる端縁の平面視での形状を、直線部を備えた形状に形成してあるので、隣り合う保護板どうしの相対位置を、隣り合う端縁の直線部どうしが略平行に隣り合うように並べることで、簡便に位置決めすることができる。
【０００７】
本発明の第２特徴構成は、前記端縁の平面視における形状を、直線どうしが鈍角で交差する屈曲形状に形成してある点にある。
【０００８】
〔作用及び効果〕
略平行に隣り合わせる端縁の平面視における形状を、直線どうしが鈍角で交差する屈曲形状に形成してあるので、隣り合う保護板どうしの帯幅方向での相対位置を、隣り合う端縁どうしが帯幅方向で互いに係合するように入り込ませて、能率良く位置決めできる。
また、直線どうしが鈍角で交差する内隅部における応力集中係数が小さく、カッター刃が、略平行に隣り合う端縁どうしの間に入り込んでその端縁に作用しても、内隅部にクラックが発生しにくい。
【０００９】
本発明の第３特徴構成は、前記直線どうしが鈍角で交差する交差箇所を、帯幅方向の左右両側に形成してある点にある。
【００１０】
〔作用及び効果〕
略平行に隣り合わせる端縁の帯幅方向の左右両側に、直線どうしが鈍角で交差する交差箇所を形成してあるので、隣り合う端縁の帯幅方向の左右両側に形成してある交差箇所が互いに入り込むように保護板を並べて、相対位置がずれにくい状態で位置決めできる。
【発明を実施するための最良の形態】
【００１１】
以下に本発明の実施の形態を図面に基づいて説明する。尚、図面において従来例と同一の符号で表示した部分は、同一又は相当の部分を示している。
【００１２】
〔第１実施形態〕
図１は、道路面を構成するアスファルト舗装面１下の２００ｍｍ未満の深さＨに埋設してある、例えば、送電ケーブルや通信ケーブルを挿通してある保護管、或いは、水道管やガス管など長尺埋設物２を示し、この埋設物２が、舗装面１を切断しているダイヤモンドホイールなどの回転式カッター刃３によって損傷を受けることを防止するために、埋設物１の防護コンクリート４の上面側に、ほう化チタン，窒化けい素，ジルコニアなどのセラミックス粉末を焼成して形成してある本発明によるセラミックス製の埋設物保護板Ａを埋め込み固定して、その上部を鋼板５で覆い、土６を被せて、アスファルト７で舗装してある。
【００１３】
つまり、図２，図３に示すように、舗装前の地面に掘削した埋設用溝などに埋設物２を敷設するとともに、その埋設物２を包み込むように防護コンクリート４を帯状に打設し、その未硬化の防護コンクリート４の幅方向両側上部に、同一形状の保護板Ａの複数枚を、先行して並べた保護板Ａに対して、それらの前後方向に一連に臨む端縁８（８ａ，８ｂ）どうしが帯長手方向に沿って３ｍｍ程度の間隔ｄを隔てて互いに略平行に隣り合う帯状に並べて、硬化した防護コンクリート４に全周に亘って埋め込み固定してある。
【００１４】
前記保護板Ａは、図３に示すように、略平行な左右側縁９を備えた一定幅で形成してあり、略平行に隣り合わせる前後端縁８の平面視での形状を、複数枚を帯状に並べて埋め込み固定してある状態で、カッター刃３が、帯幅方向Ｄに沿う移動により、その帯幅方向Ｄの左右いづれの側縁側から隣り合う前後端縁８どうしの間に入り込んでも、そのカッター刃３が、前後端縁８の帯幅方向での中心位置Ｘよりも、カッター刃移動方向上手側で接触可能な直線部１１を備えた形状に形成してある。
【００１５】
つまり、一方の端縁８ａの平面視での形状と、他方の端縁８ｂの平面視での形状とを、帯長手方向の同じ位置で左右側縁９の夫々に対して直交する、帯幅方向Ｄに平行な二つの側部直線部１０ａと、帯幅方向Ｄに平行な中央直線部１０ｂとを帯長手方向に位置をずらして設けるとともに、側部直線部１０ａと中央直線部１０ｂとに対して鈍角θで交差する左右の二つの傾斜直線部１０ｃとを備えた相似形状に形成し、一方の端縁８ａは、中央直線部１０ｂが左右側縁９間に入り込む凹形端縁とし、他方の端縁８ｂは中央直線部１０ｂが左右側縁９間から外れている凸形端縁として、隣り合う保護板Ａの一方の端縁８ａに、他方の端縁８ｂが入り込んで略平行に隣り合うように形成してある。
【００１６】
従って、直線部１０ａ，１０ｂ，１０ｃどうしが鈍角θで交差する交差箇所を、帯幅方向の左右両側に形成し、カッター刃３が、帯幅方向Ｄに沿う移動により、その帯幅方向Ｄの左右いづれの側縁９側から隣り合う前後端縁８どうしの隙間ｄに入り込んでも、そのカッター刃３が、前後端縁８の帯幅方向Ｄでの中心位置Ｘよりもカッター刃移動方向上手側で他方の端縁８ｂの傾斜直線部１０ｃ（１１）に接触して切断作用するように構成してある。
【００１７】
〔第２実施形態〕
図４は本発明による保護板Ａの別実施形態を示し、一方の端縁８ａの平面視での形状と、他方の端縁８ｂの平面視での形状とを、左右側縁９に対して斜めに交差する二つの傾斜直線部１０ｃが帯幅方向の中心位置Ｘにおいて鈍角θで交差する相似形状に形成し、一方の端縁８ａは二つの傾斜直線部１０ｃが左右側縁９間に入り込む凹形端縁とし、他方の端縁８ｂは二つの傾斜直線部１０ｃが左右側縁９間から外れている凸形端縁として、隣り合う保護板Ａの一方の端縁８ａに、他方の端縁８ｂが入り込んで略平行に隣り合うように形成してある。
【００１８】
従って、カッター刃３が、帯幅方向Ｄに沿う移動により、その帯幅方向Ｄの左右いづれの側縁９側から隣り合う前後端縁８どうしの隙間ｄに入り込んでも、そのカッター刃３が、前後端縁８の帯幅方向での中心位置Ｘよりもカッター刃移動方向上手側で他方の端縁８ｂの傾斜直線部１０ｃ（１１）に接触して切断作用するように構成してある。
その他の構成は第１実施形態と同様である。
【００１９】
〔第３実施形態〕
図５は本発明による保護板Ａの別実施形態を示し、一方の端縁８ａの平面視での形状と、他方の端縁８ｂの平面視での形状とを、左右両側縁９に亘って斜めに交差する傾斜直線部１０ｃで相似形状に形成して、隣り合う保護板Ａの端縁８どうしが略平行に隣り合うように形成してある。
【００２０】
従って、カッター刃３が、帯幅方向Ｄに沿う移動により、その帯幅方向Ｄの左右いづれの側縁側から隣り合う前後端縁８どうしの隙間ｄに入り込んでも、そのカッター刃３が、前後端縁８の帯幅方向Ｄでの中心位置Ｘよりもカッター刃移動方向上手側で前後いずれかの傾斜直線部１０ｃ（１１）に接触して切断作用するように構成してある。
その他の構成は第１実施形態と同様である。
【００２１】
〔第４実施形態〕
図６は本発明による保護板Ａの別実施形態を示し、一方の端縁８ａの平面視での形状と、他方の端縁８ｂの平面視での形状とを、左右側縁９の夫々に対して直交する、帯幅方向Ｄに平行な二つの側部直線部１０ａと、帯幅方向Ｄに平行な中央直線部１０ｂとの各々を帯長手方向に互いに位置をずらして設けるとともに、側部直線部１０ａと中央直線部１０ｂとに対して鈍角θで交差する左右の傾斜直線部１０ｃとを備えた相似形状に形成してある。
【００２２】
従って、カッター刃３が、帯幅方向Ｄに沿う移動により、その帯幅方向Ｄの左右いづれの側縁９側から隣り合う前後端縁８どうしの隙間ｄに入り込んでも、そのカッター刃３が、前後端縁８の帯幅方向での中心位置Ｘよりもカッター刃移動方向上手側で、端縁８ａ，８ｂのいずれかの傾斜直線部１０ｃ（１１）に接触して切断作用するように構成してある。
その他の構成は第１実施形態と同様である。
【００２３】
〔第５実施形態〕
図７は本発明による保護板Ａの別実施形態を示し、一方の端縁８ａの平面視での形状と、他方の端縁８ｂの平面視での形状とを、帯長手方向の同じ位置で左右側縁９の夫々に対して直交する、帯幅方向Ｄに平行な二つの側部直線部１０ａと、帯幅方向Ｄに平行な中央直線部１０ｂとを帯長手方向に位置をずらして設けるとともに、側部直線部１０ａと中央直線部１０ｂとに対して直交する左右の二つの縦直線部１０ｄとを備えた相似形状に形成し、一方の端縁８ａは、中央直線部１０ｂが左右側縁９間に入り込む凹形端縁とし、他方の端縁８ｂは中央直線部１０ｂが左右側縁９間から外れている凸形端縁として、隣り合う保護板Ａの一方の端縁８ａに、他方の端縁８ｂが入り込んで略平行に隣り合うように形成してある。
【００２４】
従って、直線部１０ａ，１０ｂ，１０ｄどうしが直角に交差する交差箇所を、帯幅方向の左右両側に形成し、カッター刃３が、帯幅方向Ｄに沿う移動により、その帯幅方向Ｄの左右いづれの側縁９側から隣り合う前後端縁８どうしの隙間ｄに入り込んでも、そのカッター刃３が、前後端縁８の帯幅方向Ｄでの中心位置Ｘよりもカッター刃移動方向上手側で他方の端縁８ｂの縦直線部１０ｄ（１１）に接触して切断作用するように構成してある。
その他の構成は第１実施形態と同様である。
【００２５】
〔その他の実施形態〕
本発明による保護板は、車道や歩道などの道路の他に、駐車場や運動場，広場などの舗装面の下に埋設してある長尺埋設物が、その舗装面を切断しているカッター刃によって損傷を受けることを防止するため埋め込み固定するものであっても良い。
【図面の簡単な説明】
【００２６】
【図１】保護板の設置状態を示す断面図
【図２】保護板の設置方法の説明図
【図３】保護板を示し、（イ）は設置状態を示す平面図，（ロ）は左側面図，（ハ）は右側面図，（ニ）は正面図
【図４】第２実施形態の保護板を示し、（イ）は設置状態を示す平面図，（ロ）は左側面図，（ハ）は右側面図，（ニ）は正面図
【図５】第３実施形態の保護板を示し、（イ）は設置状態を示す平面図，（ロ）は左側面図，（ハ）は右側面図，（ニ）は正面図
【図６】第４実施形態の保護板を示し、（イ）は設置状態を示す平面図，（ロ）は左側面図，（ハ）は右側面図，（ニ）は正面図
【図７】第５実施形態の保護板を示し、（イ）は設置状態を示す平面図，（ロ）は左側面図，（ハ）は右側面図，（ニ）は正面図
【図８】従来の保護板を示す平面図
【符号の説明】
【００２７】
１    舗装面
２    埋設物
３    カッター刃
４    コンクリート
８    端縁
９    側縁
１１  直線部
Ｘ    帯幅方向での中心位置
θ    鈍角
【図１】
2007037240.tif 000003
【図２】
2007037240.tif 000004
【図３】
2007037240.tif 000005
【図４】
2007037240.tif 000006
【図５】
2007037240.tif 000007
【図６】
2007037240.tif 000008
【図７】
2007037240.tif 000009
【図８】
2007037240.tif 000010